(57)【要約】【課題】従来の空調装置において用いられていた制御盤冷却用ファンと冷却空気の出入口フィルタとを省略し、コストダウンと省エネルギを図ることができる空調装置を提供すること。【解決手段】空気吸入口１と空気排出口２とが形成された筐体３と、空気吸入口１の下流側に配設された冷却コイル４と、空気排出口２から筐体３内の空気を排出する送風機６とを備えた空調装置において、空調装置の制御盤７を、空気吸入口１と冷却コイル４とを連通する空気流路Ｗに配設する。【選択図】図１
2008039345.tif 000002
【特許請求の範囲】
【請求項１】
空気吸入口と空気排出口とが形成された筐体と、空気吸入口の下流側に配設された冷却コイルと、空気排出口から筐体内の空気を排出する送風機とを備えた空調装置において、空調装置の制御盤を、空気吸入口と冷却コイルとを連通する空気流路に配設したことを特徴とする空調装置。
【請求項２】
空調装置の制御盤を、空気吸入口に対向して配設したことを特徴とする請求項１記載の空調装置。
【発明の詳細な説明】
【技術分野】
【０００１】
本発明は、精密温調の空調装置に関し、特に、空調装置において用いられていた制御盤冷却用ファンと冷却空気の出入口フィルタとを省略し、コストダウンと省エネルギを図ることができる空調装置に関するものである。
【背景技術】
【０００２】
従来、空調装置は、例えば、図３に示すように、空気吸入口１と空気排出口２とが形成された筐体３と、空気吸入口１の下流側に配設された冷却コイル４と、冷却コイル４の下流側に配設された再熱器５と、空気排出口２から筐体内の空気を排出する送風機６と、空気排出口２に配設された温度センサ（図示省略）とを備え、空気吸入口１から冷却コイル４により冷却しながら取り入れた外気を、下流側に配設した再熱器５によって精密に設定温度に調節し、空気排出口２から排出するようにしている。
【０００３】
ところで、このような空調装置においては、図３に示すように、空調装置の制御盤７を独立した区画に配設し、該区画に制御盤冷却用ファン１１を取り付けて、周囲の空気を取込んで排気することにより、制御盤７の冷却を行っている。
【０００４】
しかしながら、このような制御盤の冷却方法においては、吸込空気がオイルミストを含むなど、極めて過酷な環境下で空調装置を使用する場合や、クリーンルーム内に空調装置を設置する場合は、中性能フィルタやＨＥＰＡ等のフィルタ１２を冷却空気の入口と出口にそれぞれ搭載することが不可欠で、これらのフィルタ１２の抵抗により制御盤冷却用ファン１１の容量が大きくなるという問題を有している。
【発明の開示】
【発明が解決しようとする課題】
【０００５】
本発明は、上記従来の空調装置が有する問題点に鑑み、従来の空調装置において用いられていた制御盤冷却用ファンと冷却空気の出入口フィルタとを省略し、コストダウンと省エネルギを図ることができる空調装置を提供することを目的とする。
【課題を解決するための手段】
【０００６】
上記目的を達成するため、本発明の空調装置は、空気吸入口と空気排出口とが形成された筐体と、空気吸入口の下流側に配設された冷却コイルと、空気排出口から筐体内の空気を排出する送風機とを備えた空調装置において、空調装置の制御盤を、空気吸入口と冷却コイルとを連通する空気流路に配設したことを特徴とする。
【０００７】
この場合において、空調装置の制御盤を、空気吸入口に対向して配設することができる。
【発明の効果】
【０００８】
本発明の空調装置によれば、空気吸入口と空気排出口とが形成された筐体と、空気吸入口の下流側に配設された冷却コイルと、空気排出口から筐体内の空気を排出する送風機とを備えた空調装置において、空調装置の制御盤を、空気吸入口と冷却コイルとを連通する空気流路に配設することにより、空気吸入口のフィルタで除塵された清浄な空気により制御盤を冷却するとともに、空調装置の送風機を用いて制御盤の冷却空気を導入することができ、従来の空調装置において用いられていた制御盤冷却用ファンと冷却空気の出入口フィルタとを省略し、コストダウンと省エネルギを図ることができる。
また、制御盤からの発熱は、下流側の冷却コイルで除去されることから、機外に熱の影響が出ることはなく、筐体の空気排出口にＨＥＰＡフィルタを搭載することにより、クリーンルーム内への排気も可能となる。
【０００９】
また、空調装置の制御盤を、空気吸入口に対向して配設することにより、空気吸入口から導入した空気を、直接、制御盤の全面に当てることができ、制御盤全面を確実に冷却することができる。
【発明を実施するための最良の形態】
【００１０】
以下、本発明の空調装置の実施の形態を、図面に基づいて説明する。
【実施例１】
【００１１】
図１に、本発明の空調装置の一実施例を示す。
この空調装置は、空気吸入口１と空気排出口２とが形成された筐体３と、空気吸入口１の下流側に配設された冷却コイル４と、冷却コイル４の下流側に配設された再熱器５と、空気排出口２から筐体３内の空気を排出する送風機６とを備えている。
そして、この空調装置は、空調装置の制御盤７を、空気吸入口１と冷却コイル４とを連通する空気流路Ｗに配設している。
【００１２】
空調装置は、筐体３の下に冷却コイル４を作動させる冷凍機８を設置するとともに、側壁の上部に空気吸入口１を形成している。
空気吸入口１の下流側には、冷凍機８及び冷却コイル４が配設され、冷却コイル４の下流側には電気ヒータ、温水ヒータ、蒸気ヒータ等のヒータや冷媒レヒートコイル方式からなる再熱器５が配設されている。
なお、再熱器５は、必須のものではなく、図２に示す本発明の空調装置の変形実施例のように、再熱器５を設けないようにすることもでき、本発明は、このような空調装置を排除するものでない。
【００１３】
筐体３の上面には、空気排出口２が形成され、空気排出口２には、空気吸入口１から取り入れた空気を排出する送風機６が設置されている。
空調装置の風量は、例えば、この送風機６の出力を手動で切り替えることにより複数の段階に設定することができる。
なお、送風機６の下流側の適宜箇所（図２に示す変形実施例の場合は、空気吸入口１の下流側の適宜箇所）には、温度センサ（図示省略）が設置されており、この温度センサが検出する空気の温度と設定温度に基づいて、制御盤７が冷却コイル４及び再熱器５の出力を制御（図２に示す変形実施例の場合は、制御盤７が冷却コイル４のＯＮ、ＯＦＦを制御）する。
【００１４】
制御盤７は、制御機器や電源機器を備えており、これらが発熱するために冷却が必要である。
本実施例では、この制御盤７を、空調装置の空気吸入口１の下流側で、空気吸入口１のフィルタ９と対向、すなわち、制御盤７の面が空気吸入口１のフィルタ９と平行となるように配設し、フィルタ９を介して空調装置の送風機６が導入した清浄な空気により冷却するようにしている。
このように、制御盤７を冷却コイル４の上流側に配設することにより、制御盤７からの発熱は、冷却コイル４で除去され、機外に熱の影響が出ることはない。
そして、特に、制御盤７を、空気吸入口１のフィルタ９と対向するように配設することにより、空気吸入口１から導入した空気を、直接、制御盤７の全面に当てることができ、制御盤７を確実に冷却することができる。
なお、制御盤７を配設する位置は、本実施例の位置に限定されず、空気吸入口１から導入した空気が制御盤７に当たる位置である限りにおいて、空気吸入口１と冷却コイル４とを連通する空気流路Ｗの任意の位置に配設することができる。
【００１５】
また、筐体３の空気排出口２にＨＥＰＡ等のフィルタ１０を搭載することにより、この制御盤７を冷却した後の空気を、例えばクリーンルーム内にでも排気することができる。
【００１６】
かくして、本実施例の空調装置は、空気吸入口１と空気排出口２とが形成された筐体３と、空気吸入口１の下流側に配設された冷却コイル４と、冷却コイル４の下流側に配設された再熱器５と、空気排出口２から筐体３内の空気を排出する送風機６とを備えた空調装置において、空調装置の制御盤７を、空気吸入口１と冷却コイル４とを連通する空気流路Ｗに配設することから、空気吸入口１のフィルタで除塵された清浄な空気により制御盤７を冷却するとともに、空調装置の送風機６を用いて制御盤７の冷却空気を導入することができ、従来の空調装置において用いられていた制御盤冷却用ファンと冷却空気の出入口フィルタとを省略し、コストダウンと省エネルギを図ることができる。
また、制御盤７からの発熱は、下流側の冷却コイル４で除去されることから、機外に熱の影響が出ることはなく、筐体３の空気排出口２にＨＥＰＡフィルタを搭載することにより、クリーンルーム内への排気も可能となる。
【００１７】
また、制御盤７を、空気吸入口１に対向して配設することにより、空気吸入口１から導入した空気を、直接、制御盤７の全面に当てることができ、制御盤７を確実に冷却することができる。
【００１８】
以上、本発明の空調装置について、その実施例に基づいて説明したが、本発明は上記実施例に記載した構成に限定されるものではなく、その趣旨を逸脱しない範囲において適宜その構成を変更することができる。
【産業上の利用可能性】
【００１９】
本発明の空調装置は、空調装置の空気吸入口の２次側に制御盤を設け、空気吸入口のフィルタで除塵された清浄な空気により制御盤を冷却することにより、従来の空調装置において用いられていた制御盤冷却用ファンと冷却空気の出入口フィルタとを省略し、コストダウンと省エネルギを図れることから、様々な環境下で広い用途に好適に使用することができる。
【図面の簡単な説明】
【００２０】
【図１】本発明の空調装置の一実施例を示す断面図である。
【図２】本発明の空調装置の変形実施例を示す断面図である。
【図３】従来の空調装置の一例を示す断面図である。
【符号の説明】
【００２１】
１    空気吸入口
２    空気排出口
３    筐体
４    冷却コイル
５    再熱器
６    送風機
７    制御盤
８    冷凍機
９    フィルタ
１０  フィルタ
１１  制御盤冷却用ファン
１２  フィルタ
Ｗ    空気流路
【図１】
2008039345.tif 000003
【図２】
2008039345.tif 000004
【図３】
2008039345.tif 000005